(57)【要約】【課題】板状部分が少ないフレーム構造であっても、上下及び前後方向における高い曲げ剛性を確保しつつ、樹脂の使用量を抑制する。【解決手段】初期ストッパ４８、鍵ガイド部５０、ハンマ回動軸４３、鍵支持部５３、鍵スイッチ５９等は、フレーム４０以外の構成要素と当接係合する「フレーム機能部」である。ストッパ取付部４７、鍵ガイド連結部４９、前側支持部４１、鍵支持部連結部５１、板状部５４等は、フレーム４０に一体に形成され、鍵並び方向において複数鍵域に亘って一体に連続する部分であって、直接またはフレーム機能部を介して外力を受ける部分、及び／又は、フレーム４０とは別体に構成される構成要素が取り付けられる部分である「一体連続部」である。複数の一体連続部が、側面視において、上下方向及び前後方向の双方にずれた位置に形成され、互いが、縦リブ４６によってのみ接続される。【選択図】図１
2010078790.tif 000002
【特許請求の範囲】
【請求項１】
並列的に配設された複数の鍵と、
樹脂で一体に形成され、楽器本体に支持されて、押離鍵操作により前記複数の各鍵が揺動するように前記複数の各鍵を支持するフレームと、
前記フレームに一体にまたは別体で設けられ、当該鍵盤装置の使用時において、当該鍵盤装置の構成要素のうち前記フレーム以外の構成要素と当接係合するフレーム機能部と、
前記フレームに一体に形成され、鍵並び方向において複数鍵域に亘って一体に連続する部分であって、直接または前記フレーム機能部を介して外力を受ける部分、及び／又は、前記フレームに一体に形成され、鍵並び方向において複数鍵域に亘って一体に連続する部分であって、前記フレームとは別体に構成される構成要素が取り付けられる部分である少なくとも２つの一体連続部と、
前記フレームと一体に、鍵並び方向に交差する方向に延設形成され、複数の鍵域に対して１つの割合で設けられた接続リブとを有し、
前記少なくとも２つの一体連続部は、前記フレームの側面視において、上下方向及び前後方向の双方にずれた位置に形成され、互いが前記接続リブによってのみ接続されていることを特徴とする鍵盤装置。
【請求項２】
前記接続リブは、鍵並び方向に垂直な方向に板状に延設形成されたことを特徴とする請求項１記載の鍵盤装置。
【請求項３】
前記一体連続部は、少なくとも３つ存在し、それら３つは、側面視において一直線上に存在しないように配設されたことを特徴とする請求項１または２記載の鍵盤装置。
【請求項４】
前記各鍵に対応して設けられ、対応する鍵の揺動動作をガイドする鍵ガイド部と、前記鍵または該鍵に連動して回動する回動部材に当接して、押鍵往行程における前記鍵の押鍵初期位置を規制する初期ストッパとが、前記フレーム機能部として設けられ、前記一体連続部には、前記鍵ガイド部が設けられる鍵ガイド配設部と、前記初期ストッパが設けられる初期ストッパ配設部とが含まれ、前記鍵ガイド配設部及び前記初期ストッパ配設部は、前記フレームにおける前記楽器本体に当接する部分から上方に離間し、且つ、該部分とは前記接続リブによってのみ接続されていることを特徴とする請求項１〜３のいずれか１項に記載の鍵盤装置。
【請求項５】
前記フレームに一体に形成され、鍵並び方向に沿って配設された複数のハンマ支持部が、前記フレーム機能部として設けられ、さらに、前記複数の各鍵に対応して並列的に配設され、各々、対応する鍵の下方において対応する鍵に連動して前記ハンマ支持部を中心として回動するように該ハンマ支持部に支持され、対応する鍵の揺動動作に対して慣性を付与するための複数のハンマ体を有し、前記一体連続部には、前記ハンマ支持部が設けられるハンマ軸配設部が含まれることを特徴とする請求項１〜４のいずれか１項に記載の鍵盤装置。
【請求項６】
前記各鍵に対応して設けられ、対応する鍵の揺動動作をガイドする鍵ガイド部が、前記フレーム機能部として設けられ、前記一体連続部には、前記鍵ガイド部が設けられる鍵ガイド配設部が含まれることを特徴とする請求項５
【請求項７】
前記各ハンマ体は、対応する鍵の押鍵往行程において、その後部が上方に回動するように構成され、前記各ハンマ体の前部と当接することで押鍵往行程における前記各ハンマ体の回動初期位置を規制するハンマストッパが、前記フレーム機能部として設けられ、前記一体連続部には、前記ハンマストッパが設けられるハンマストッパ配設部が含まれることを特徴とする請求項５または６記載の鍵盤装置。
【請求項８】
前記フレームを前記楽器本体に支持するために前記楽器本体に当接する本体当接部が前記フレーム機能部として設けられ、前記本体当接部は、前記一体連続部にも該当し且つ、前記ハンマ支持部の機能を兼ねるように構成されたことを特徴とする請求項５〜７のいずれか１項に記載の鍵盤装置。
【発明の詳細な説明】
【技術分野】
【０００１】
本発明は、樹脂で一体に形成され複数の鍵を揺動自在に支持するフレームを有した鍵盤装置に関する。
【背景技術】
【０００２】
従来、鍵盤装置において、複数の鍵を揺動自在に支持するフレームが楽器本体に支持されたものが知られており、特に、フレームが樹脂で一体に形成されたものが知られている（下記特許文献１、２）。
【０００３】
鍵盤装置におけるフレームには、フレームとしての機能を果たす部分、すなわち、鍵盤装置の使用時において、フレーム以外の構成要素と当接係合する「フレーム機能部」が、フレームに一体にまたは別体で設けられる。例えば、下記特許文献１、２では、鍵やハンマ体の回動初期位置や回動終了位置を規制するストッパ、鍵動作ガイド、基板取り付け部、棚板との当接部等が、フレーム機能部である。
【０００４】
これらフレーム機能部が設けられるフレームの部分は、外力を受けるので、剛性を高く設計するのが望ましく、樹脂製のフレームにおいては、一般に、十分な量の樹脂をその部分に割くことで高い剛性が確保される。
【特許文献１】特許第３８１９１３６号公報
【特許文献２】特開平９−２４４６２３号公報
【発明の開示】
【発明が解決しようとする課題】
【０００５】
しかしながら、使用する樹脂の量が増えると、コストが高くなるだけでなく、重量も増す。上記特許文献１、２では、フレームにおいて板状となっている部分が多く、剛性は高いが、樹脂の使用量が多く、改善の余地がある。また、剛性を適切に確保しつつも樹脂量を削減する上で、フレーム機能部の配設位置についても工夫の余地があると考えられる。
【０００６】
本発明は上記従来技術の問題を解決するためになされたものであり、その目的は、板状部分が少ないフレーム構造であっても、上下及び前後方向における高い曲げ剛性を確保しつつ、樹脂の使用量を抑制することができる鍵盤装置を提供することにある。
【課題を解決するための手段】
【０００７】
上記目的を達成するために本発明の請求項１の鍵盤装置は、並列的に配設された複数の鍵（１０、２０）と、樹脂で一体に形成され、楽器本体（１９）に支持されて、押離鍵操作により前記複数の各鍵が揺動するように前記複数の各鍵を支持するフレーム（４０）と、前記フレームに一体にまたは別体で設けられ、当該鍵盤装置の使用時において、当該鍵盤装置の構成要素のうち前記フレーム以外の構成要素と当接係合するフレーム機能部（４１、４３、４５、４８、５０、５３、５５、５９、６３、６４）と、前記フレームに一体に形成され、鍵並び方向において複数鍵域に亘って一体に連続する部分であって、直接または前記フレーム機能部を介して外力を受ける部分、及び／又は、前記フレームに一体に形成され、鍵並び方向において複数鍵域に亘って一体に連続する部分であって、前記フレームとは別体に構成される構成要素が取り付けられる部分である少なくとも２つの一体連続部（４１、４５、４７、４９、４９ａ、５１、５４、６２、６５）と、前記フレームと一体に、鍵並び方向に交差する方向に延設形成され、複数の鍵域に対して１つの割合で設けられた接続リブ（４６）とを有し、前記少なくとも２つの一体連続部は、前記フレームの側面視において、上下方向及び前後方向の双方にずれた位置に形成され、互いが前記接続リブによってのみ接続されていることを特徴とする。
【０００８】
好ましくは、前記接続リブは、鍵並び方向に垂直な方向に板状に延設形成される（請求項２）。
【０００９】
好ましくは、前記一体連続部は、少なくとも３つ存在し、それら３つは、側面視において一直線上に存在しないように配設される（請求項３）。
【００１０】
好ましくは、前記各鍵に対応して設けられ、対応する鍵の揺動動作をガイドする鍵ガイド部（５０）と、前記鍵または該鍵に連動して回動する回動部材（３０）に当接して、押鍵往行程における前記鍵の押鍵初期位置を規制する初期ストッパ（４８、６４）とが、前記フレーム機能部として設けられ、前記一体連続部には、前記鍵ガイド部が設けられる鍵ガイド配設部（４９）と、前記初期ストッパが設けられる初期ストッパ配設部（４７、４９ａ）とが含まれ、前記鍵ガイド配設部及び前記初期ストッパ配設部は、前記フレームにおける前記楽器本体に当接する部分（４１、４５）から上方に離間し、且つ、該部分とは前記接続リブによってのみ接続されている（請求項４）。
【００１１】
好ましくは、前記フレームに一体に形成され、鍵並び方向に沿って配設された複数のハンマ支持部（４３）が、前記フレーム機能部として設けられ、さらに、前記複数の各鍵に対応して並列的に配設され、各々、対応する鍵の下方において対応する鍵に連動して前記ハンマ支持部を中心として回動するように該ハンマ支持部に支持され、対応する鍵の揺動動作に対して慣性を付与するための複数のハンマ体（３０）を有し、前記一体連続部には、前記ハンマ支持部が設けられるハンマ軸配設部（４１）が含まれる（請求項５）。
【００１２】
好ましくは、前記各鍵に対応して設けられ、対応する鍵の揺動動作をガイドする鍵ガイド部（５０）が、前記フレーム機能部として設けられ、前記一体連続部には、前記鍵ガイド部が設けられる鍵ガイド配設部（４９）が含まれる（請求項６）。
【００１３】
好ましくは、前記各ハンマ体は、対応する鍵の押鍵往行程において、その後部（３０ｒ）が上方に回動するように構成され、前記各ハンマ体の前部（３０ｆ）と当接することで押鍵往行程における前記各ハンマ体の回動初期位置を規制するハンマストッパ（４８）が、前記フレーム機能部として設けられ、前記一体連続部には、前記ハンマストッパが設けられるハンマストッパ配設部（４７）が含まれる（請求項７）。
【００１４】
好ましくは、前記フレームを前記楽器本体に支持するために前記楽器本体に当接する本体当接部（４１）が前記フレーム機能部として設けられ、前記本体当接部は、前記一体連続部にも該当し且つ、前記ハンマ支持部の機能を兼ねるように構成される（請求項８）。
【００１５】
なお、上記括弧内の符号は例示である。
【発明の効果】
【００１６】
本発明の請求項１によれば、板状部分が少ないフレーム構造であっても、上下及び前後方向における高い曲げ剛性を確保しつつ、樹脂の使用量を抑制することができる。
【００１７】
請求項２によれば、樹脂量の少ない接続リブで効率良く剛性確保を図ることができる。
【００１８】
請求項３によれば、鍵並び方向に垂直なあらゆる方向における曲げ剛性を高めることができる。
【００１９】
請求項４によれば、強負荷がかからない鍵ガイド部や初期ストッパを、楽器本体からの強負荷がかかる部分から離間させて、それらの配設位置の自由度を高めることができる。
【００２０】
請求項５によれば、ハンマ体付きの鍵盤装置においても、上下及び前後方向における高い曲げ剛性を確保しつつ、樹脂の使用量を抑制することができる。
【００２１】
請求項８によれば、本体当接部が２つの機能を兼ねることで一体連続部を効率的に設け、樹脂の削減に寄与することができる。
【発明を実施するための最良の形態】
【００２２】
以下、本発明の実施の形態を図面を参照して説明する。
【００２３】
（第１の実施の形態）
図１は、本発明の第１の実施の形態に係る鍵盤装置の内部構成を示す側面図である。本鍵盤装置は、例えば、電子鍵盤楽器に適用され、樹脂で一体に形成されるフレーム４０に、それぞれ複数の白鍵１０、黒鍵２０、ハンマ体３０が配設されてなる。本鍵盤装置に対して、奏者が位置する側を前側とする。従って、同図左方、右方がそれぞれ前方、後方である。また、左右方向については、奏者からみた方向を基準とする。
【００２４】
白鍵１０、黒鍵２０は、左右方向（「鍵並び方向」とも称する）に沿ってそれぞれ複数が並列的に配列される。ハンマ体３０は、鍵並び方向に沿って複数が並列的に配列される。ハンマ体３０は、各鍵に対応して設けられ、それぞれ対応する鍵の下方に配設され、対応する鍵の揺動動作に対して慣性を付与する。
【００２５】
図２（ａ）、（ｂ）は、フレーム４０の平面図、正面図である。図３は、図２（ａ）のＡ−Ａ線に沿う断面図である。図２（ａ）、（ｂ）では、フレーム４０は、１オクターブ分しか示していないが、複数の鍵域に亘る長さであればよく、全鍵幅に構成してもよい。
【００２６】
白鍵１０、黒鍵２０は、各々、フレーム４０の鍵支持部５３を中心に前端部が上下方向に揺動自在に鍵支持部５３に支持される。鍵支持部５３は、鍵１０、２０を揺動自在に支持できればよく、ヒンジタイプ等でもよく、その構成は問わない。ハンマ体３０は、各々、フレーム４０のハンマ回動軸４３を中心に上下方向に回動（前端部及び後端部が上下に揺動）自在にハンマ回動軸４３に支持される。白鍵１０の前部には、垂下片１１が下方に垂設され、垂下片１１の下端部が、緩衝部材を含むハンマ駆動部１２となっている。黒鍵２０も同様である。
【００２７】
図１に示すように、ハンマ体３０は、ハンマ回動軸４３と係合する係合凹部３１を有し、係合凹部３１より前方の前方延設部３０ｆと、係合凹部３１より後方の後方延設部３０ｒとを有して棒状に構成される。係合凹部３１は、後方に開口している。後方延設部３０ｒの後端部には、ハンマ体３０の全体の質量のうちのほとんどが集中している質量部３２が設けられる。前方延設部３０ｆには、長い下側係合部３３と短い上側係合部３４とからなる蟹のハサミ状の係合部が形成されている。下側係合部３３及び上側係合部３４は、対応する白鍵１０、黒鍵２０のハンマ駆動部１２と常に係合状態にあり、ハンマ体３０が、対応する鍵に連動して往方向及び復方向の双方に回動するようになっている。
【００２８】
図１においては、白鍵１０、黒鍵２０、ハンマ体３０は、押鍵されていない初期状態が示される。白鍵１０、ハンマ体３０については、押鍵終了状態のものが、白鍵１０−Ｅ、ハンマ体３０−Ｅとして併せて示されている。
【００２９】
フレーム４０は、射出成形による一体成形で製造される。フレーム４０は、棚板１９（図１、図３参照）の上に配設固定される。棚板１９は、楽器本体の一部であればよく、呼称は問わず、下ケースの底板等であってもよい。後に詳述するように、フレーム４０は、鍵並び方向全長に亘って一体に延設される部分を、鍵並び方向において互いに離間した複数の縦リブ４６で接続した構成を採る。
【００３０】
まず、図３に示すように、フレーム４０において、ストッパ取付部４７が最前部に設けられる。ストッパ取付部４７より後方で上方には、鍵ガイド連結部４９が設けられる。鍵ガイド連結部４９よりやや後方で且つ最下部には、前側支持部４１が設けられる。フレーム４０の後部の最下部には、後側支持部４５が設けられる。前側支持部４１及び後側支持部４５の下端は、棚板１９に直接当接する。
【００３１】
後側支持部４５から後側壁部６０が、前側への段差を形成して垂直に上方に立ち上がり、後側壁部６０の上部から、前方に鍵支持部連結部５１が一体に延設される。鍵支持部連結部５１の前部から、下側への段差を形成して、板状部５４が、前方やや斜め下方に向かって延設されている。板状部５４は、フレーム４０の前後方向中間付近であって、前側支持部４１よりも後方の位置まで延設されている。
【００３２】
特に、ストッパ取付部４７、鍵ガイド連結部４９、前側支持部４１、鍵支持部連結部５１、板状部５４は、上記した、「鍵並び方向全長に亘って一体に延設される部分」に該当する（図２（ａ）、（ｂ）参照）。これらと後側支持部４５及び後側壁部６０が、互いに縦リブ４６で一体に接続されている（図３参照）。縦リブ４６は、複数鍵に対して１つ設けられ、図２に示すように、一例として、１オクターブあたり２〜３個設けられるが、数は問わない。
【００３３】
図１に示すように、ストッパ取付部４７の下面４７ａには、ハンマ体３０の下側係合部３３と当接して、押鍵往行程におけるハンマ体３０の回動初期位置を規制するための初期ストッパ４８が取り付けられる。非押鍵状態では、ハンマ体３０は、質量部３２の重みによって後方延設部３０ｒが下がるので、初期ストッパ４８の下面４８ａに下側係合部３３が常時当接している。一方、下側係合部３３と白鍵１０、黒鍵２０のハンマ駆動部１２とは常時係合している。そのため、ハンマ体３０の回動初期位置が規制されることで、白鍵１０、黒鍵２０の初期位置である非押鍵位置も規制され、白鍵１０、黒鍵２０の各押鍵面位置が面一に揃うようになっている。
【００３４】
板状部５４の下面には、ハンマ体３０の後方延設部３０ｒの質量部３２と当接してハンマ体３０の回動終了位置を規制するための終了ストッパ５５が取り付けられる。押鍵操作により、鍵１０、２０のハンマ駆動部１２がハンマ体３０の下側係合部３３を駆動し、ハンマ体３０が図１の反時計方向に回動する。そして、後方延設部３０ｒが終了ストッパ５５に当接すると、押鍵往行程における鍵１０、２０及びハンマ体３０の押鍵終了位置乃至回動終了位置が規制される。押鍵終了状態から離鍵操作すると、復行程となり、ハンマ体３０は、質量部３２の重みによって時計方向に回動し、初期位置に復帰する。
【００３５】
初期ストッパ４８、終了ストッパ５５は、いずれも、フェルト等の緩衝機能を有する部材で構成され、鍵並び方向全長に亘って一体に設けられるが、ハンマ体３０毎に設けてもよい。なお、初期ストッパ４８、終了ストッパ５５としては、エラストマ等の軟質材を採用し、それぞれ２色成形による一体成形でフレーム４０と一体に形成してもよい。板状部５４の上面には、複数の基板取付部５６、５７が一体に形成され（図２も参照）、基板取付部５６、５７に、基板５８が螺合固定される。
【００３６】
基板５８上には、各鍵に対応する鍵スイッチ５９等が配設される。鍵スイッチ５９は、対応する鍵１０、２０に押圧されて、当該鍵１０、２０の押鍵動作を検出する。楽器本体には、不図示の楽音発生装置が備えられ、鍵スイッチ５９の検出結果に基づいて楽音が発生するようになっている。
【００３７】
図１〜図３に示すように、鍵ガイド連結部４９からは、鍵ガイド部５０が上方に一体に突設形成される。鍵ガイド部５０は、各鍵に対応して設けられ、対応する鍵の揺動動作をガイドする。鍵ガイド部５０としては、フレーム４０とは別体に形成したものを固着して設けてもよい。前側支持部４１の上面４１ａからは、一対の突設片４２が各ハンマ体３０に対応して突設形成されている。一対の突設片４２の間に、上記したハンマ回動軸４３が形成される。
【００３８】
前側支持部４１にはまた、複数のボス４４が一体に形成されている。さらに、図示はしないが、後側支持部４５にも、複数のボスが一体に形成されている。これらボス４４等に設けられた不図示のネジ穴に、下方から棚板１９を螺合固定することで、楽器本体にフレーム４０が固定される。鍵並び方向におけるボス４４の形成位置は、縦リブ４６の形成位置と一致させてある。これにより、フレーム４０にかかる各種の力が、縦リブ４６及びボス４４を通じて棚板１９に、直接的にかかりやすくなっている。
【００３９】
鍵支持部連結部５１の上面には、一対の突設片５２が、各鍵に対応して鍵支持部連結部５１に一体に突設形成されている。一対の突設片５２の互いに対向する面にはそれぞれ、上記した鍵支持部５３が形成されている。
【００４０】
上記した初期ストッパ４８、鍵ガイド部５０、ハンマ回動軸４３、鍵支持部５３、鍵スイッチ５９、終了ストッパ５５は、いずれも、本鍵盤装置の使用時に、本鍵盤装置の構成要素のうちフレーム４０以外の構成要素と当接係合するものであり、フレーム４０に、鍵１０、２０及びハンマ体３０を適切に支持する鍵フレーム乃至ハンマフレームとしての機能を果たさせるための構成要素である。これらの構成要素を、「フレーム機能部」と呼称する。前側支持部４１、後側支持部４５についても、それら自身が棚板１９に直接当接して固定される機能を有するので、「フレーム機能部」にも相当する。
【００４１】
一方、鍵ガイド連結部４９、前側支持部４１、鍵支持部連結部５１、板状部５４は、複数の同じ構成要素同士（鍵ガイド部５０、ハンマ回動軸４３、鍵支持部５３、鍵スイッチ５９）を鍵並び方向に連結する役割を果たす。ストッパ取付部４７は、初期ストッパ４８が取り付けられる部分であって、鍵並び方向において一体に連続する部分である。板状部５４は、終了ストッパ５５が取り付けられると共に、基板取付部５６、５７を介して基板５８が取り付けられる部分であって、鍵並び方向において一体に連続する部分である。前側支持部４１、後側支持部４５はそれぞれ、棚板１９と当接して、押鍵時等に棚板１９から反力を受ける部分であって、鍵並び方向において一体に連続して形成された部分である。これら鍵ガイド連結部４９、前側支持部４１、鍵支持部連結部５１、板状部５４、ストッパ取付部４７、後側支持部４５を、「一体連続部」と呼称する。
【００４２】
この「一体連続部」を定義すると、「フレーム４０に一体に形成され鍵並び方向において複数鍵域に亘って一体に連続する部分であって、且つ、直接またはフレーム機能部を介して外力を受ける部分、及び／又は、フレーム４０とは別体に構成される構成要素が取り付けられる部分」である。
【００４３】
このように、フレーム４０は、側面視において、上記した一体連続部が、互いに、上下方向及び前後方向の双方にずれた位置に形成され、互いが縦リブ４６によってのみ接続された、井桁のような構造となっている。これらにより、フレーム４０の上下及び前後方向における高い曲げ剛性が確保される。しかも、縦リブ４６は複数鍵につき１つの割合で設けられるので、樹脂の使用量は少なくて済む。また、縦リブ４６は、鍵並び方向に垂直な方向に板状に延設形成されたものであるので、樹脂量の少ない縦リブ４６で効率良く剛性確保を図ることができる。
【００４４】
図３に示すように、特に、一体連続部のうち、前半部に存在する鍵ガイド連結部４９、前側支持部４１、ストッパ取付部４７の３つに着目すると、それら３つは、側面視において一直線上に存在しない。また、後半部に存在する鍵支持部連結部５１、板状部５４、後側支持部４５の３つに着目すると、それら３つは、側面視において一直線上に存在しない。すなわち、一直線上に並ばない一体連続部が３つ以上存在する。これにより、鍵並び方向に垂直なあらゆる方向におけるフレーム４０の曲げ剛性が高まっている。しかも前半部、後半部のそれぞれについても独自に高い剛性が確保されている。
【００４５】
また、鍵ガイド連結部４９及びストッパ取付部４７は、棚板１９に直接当接する部位である前側支持部４１及び後側支持部４５から上方に離間し、且つ、前側支持部４１及び後側支持部４５とは縦リブ４６によってのみ接続された構造となっている。鍵ガイド連結部４９及びストッパ取付部４７はもともと、それら自身にかかる負荷が小さいので、棚板１９に当接する部位とは離間させ、直下の部位を棚板１９で直接支持しないように配置しても支障はなく、樹脂量も多く割く必要がない。一方、前側支持部４１及び後側支持部４５は、棚板１９から強い負荷を受けるため、樹脂量を多くして強度を高く設計しておく必要がある。従って、鍵ガイド連結部４９及びストッパ取付部４７を、前側支持部４１及び後側支持部４５から上方に離間配置可能になったことで、それらの配設位置の自由度を高めることができる。
【００４６】
ハンマ体３０は、フレーム４０への組み付け時には、ハンマ体３０の長手方向を前後方向にほぼ平行にした姿勢で、前方からフレーム４０内に挿入される。ハンマ体３０の係合凹部３１が後方に開口しているので、ハンマ体３０を後方に平行移動させていくと、係合凹部３１がハンマ回動軸４３に自然に嵌合される。
【００４７】
本実施の形態によれば、３つ以上の一体連続部が、互いに、上下方向及び前後方向の双方にずれた位置に形成されると共に、一直線上にも並ばないので、板状部分が少ないフレーム構造であっても、上下及び前後方向をはじめとする、鍵並び方向に垂直なあらゆる方向におけるフレーム４０の高い曲げ剛性を確保しつつ、樹脂の使用量を抑制することができる。
【００４８】
また、前側支持部４１が、ハンマ回動軸４３を有してハンマ体３０を支持する機能と、棚板１９に直接当接して固定される機能とを兼ねるので、「一体連続部」としての配設効率を高め、樹脂の削減に寄与することができる。
【００４９】
また、鍵ガイド連結部４９は、終了ストッパ５５が取り付けられる板状部５４及び棚板１９に当接する前側支持部４１とは、側面視において異なる位置に形成されている。鍵ガイド連結部４９に形成される鍵ガイド部５０は、鍵の揺動動作をガイドするものであるので、板状部５４や前側支持部４１と異なり、鍵ガイド連結部４９や鍵ガイド部５０に大きい負荷がかかることがない。そのため、鍵ガイド連結部４９に要求される強度は低いものとなる。一方、鍵ガイド連結部４９と前側支持部４１とは、互いが縦リブ４６によってのみ接続されているので、フレーム剛性を確保しつつ樹脂の使用量を抑制することができる。
【００５０】
また、鍵ガイド部５０としては、白鍵用と黒鍵用とが、共通の鍵ガイド連結部４９に設けられているので、白鍵用と黒鍵用の各鍵ガイド部５０の配置効率を高めると共に、少ない樹脂で全鍵ガイド部５０同士の連結強度を確保することができる。
【００５１】
なお、フレーム４０は、必ずしも全体が樹脂で一体に形成されている必要はなく、一体連続部や縦リブ４６等の基本部分が樹脂で一体に形成されていればよい。従って、フレーム４０は、部分的に別体、あるいは一部が別の素材で形成されていてもよい。また、フレーム４０の樹脂成形の容易性を考慮しない場合は、「フレーム機能部」の各々は、必ずしもフレーム４０と一体に形成される必要はない。
【００５２】
なお、縦リブ４６は、鍵並び方向に交差する方向に延設されて、一体連続部同士を接続するものであればよく、形状は板状でなくてもよい。
【００５３】
なお、本実施の形態では、鍵１０、２０の押鍵初期位置や押鍵終了位置が、初期ストッパ４８、終了ストッパ５５にハンマ体３０に当接することで規制される構成であった。しかし、これらのストッパに当接するものは、鍵１０、２０に連動して回動する回動部材であればよく、ハンマ体３０に限られない。
【００５４】
なお、ハンマ体３０の係合凹部３１とフレーム４０のハンマ回動軸４３との雄雌関係は、逆にしてもよい。
【００５５】
（第２の実施の形態）
第１の実施の形態では、ハンマ体３０が設けられた鍵盤装置を示したが、本発明の第２の実施の形態では、ハンマ体３０を廃止する。
【００５６】
図４（ａ）は、本発明の第２の実施の形態に係る第１例の鍵盤装置の内部構成を示す側面図である。図４（ａ）に示すように、鍵１０、２０の各垂下片１１の下部からは、後方に延設された延設部１１ａが一体に形成されている。フレーム４０の前部において、垂下片１１の下方には、ストッパ取付部６２が一体に形成されている。終了ストッパ５５（図１参照）に代えて、ストッパ取付部６２の上面に、終了ストッパ５５に相当する部材である終了ストッパ６３が取り付けられている。黒鍵２０に関しても同様である。
【００５７】
また、鍵ガイド連結部４９の下部からは、前方に延設されたストッパ取付部４９ａが一体に形成されている。初期ストッパ４８（図１参照）に代えて、ストッパ取付部４９ａの下面に、初期ストッパ４８に相当する部材である初期ストッパ６４が取り付けられている。黒鍵２０に関しても同様である。
【００５８】
すなわち、終了ストッパ５５、初期ストッパ４８（図１参照）が廃止される代わりに、終了ストッパ６３、初期ストッパ６４が設けられており、フレーム４０の形状も、それに応じて第１の実施の形態と異なっている。また、図示はしないが、鍵１０、２０を、離鍵方向に常に付勢するバネ等の付勢部材が、鍵１０、２０とフレーム４０との間に介在している。その他の構成は第１の実施の形態と同様である。
【００５９】
非押鍵状態では、鍵１０、２０の垂下片１１の延設部１１ａが初期ストッパ６４の下面に当接し、押鍵初期位置が規制される。また、押鍵されると、鍵１０、２０の垂下片１１の下部が終了ストッパ６３の上面に当接して、押鍵往行程における鍵１０、２０の押鍵終了位置が規制される。
【００６０】
本実施の形態においては、前側支持部４１、後側支持部４５、鍵ガイド部５０、鍵支持部５３、鍵スイッチ５９に加えて、終了ストッパ６３、初期ストッパ６４も、上記した「フレーム機能部」に該当する。また、前側支持部４１、後側支持部４５、鍵ガイド連結部４９、鍵支持部連結部５１、板状部５４に加えて、ストッパ取付部４９ａ、ストッパ取付部６２も「一体連続部」に該当する。
【００６１】
図４（ｂ）は、第２の実施の形態に係る第２例の鍵盤装置の内部構成を示す側面図である。この第２例では、上記した第１例（図４（ａ））に対して、終了ストッパ６３の配設位置を変更したのと、鍵ガイド部５０を、白鍵１０用の鍵ガイド部５０Ｗと黒鍵２０用の鍵ガイド部５０Ｂとに前後方向の位置を分けて配置した点が異なる。その他の構成は、第１例と同じである。
【００６２】
図４（ｂ）に示すように、フレーム４０の前部において、垂下片１１の下方には、鍵ガイド連結部６５が一体に形成されている。鍵ガイド連結部４９には、鍵ガイド部５０Ｂが突設され、鍵ガイド連結部６５には、鍵ガイド部５０Ｗが突設される。また、終了ストッパ６３は、基板５８の上に設けられる。
【００６３】
非押鍵状態では、第１例と同様に、鍵１０、２０の垂下片１１の延設部１１ａが初期ストッパ６４の下面に当接し、押鍵初期位置が規制される。また、押鍵されると、鍵１０、２０の鍵本体下面が終了ストッパ６３に当接して、押鍵往行程における鍵１０、２０の押鍵終了位置が規制される。
【００６４】
鍵１０、２０の揺動動作の際には、黒鍵２０については、第１例と同様に、鍵ガイド部５０Ｂと係合することで揺動動作がガイドされる。白鍵１０については、垂下片１１が鍵ガイド部５０Ｗと係合することで、揺動動作がガイドされる。白鍵１０用の鍵ガイド部５０Ｗが、黒鍵２０用の鍵ガイド部５０Ｂよりも前方に位置するので、白鍵１０の揺動のガイド性が高まっている。この第２例では、第１例における「一体連続部」に対して、ストッパ取付部６２に代わって鍵ガイド連結部６５が「一体連続部」に該当する。
【００６５】
本実施の形態（第１、第２例）によれば、鍵並び方向に垂直なあらゆる方向におけるフレーム４０の高い曲げ剛性を確保しつつ、樹脂の使用量を抑制することに関し、第１の実施の形態と同様の効果を奏することができる。
【００６６】
また、鍵ガイド連結部４９、ストッパ取付部６２（図４（ａ）参照）、鍵ガイド連結部６５（図４（ｂ）参照）の配設位置の自由度を高めることにおいても、第１の実施の形態と同様の効果を奏することができる。
【００６７】
また、鍵ガイド連結部６５は、板状部５４及び前側支持部４１とは、側面視において異なる位置に形成されているので、鍵ガイド連結部４９と共に、鍵ガイド連結部６５に要求される強度を低いものとすることができる。
【００６８】
（第３の実施の形態）
本発明の第３の実施の形態では、第１の実施の形態に比し、鍵ガイド部５０の構成が異なると共に、それに応じて鍵１０、２０の形状が異なり、その他は同様である。
【００６９】
図５（ａ）、（ｂ）は、第３の実施の形態に係る第１例の鍵盤装置の鍵ガイド連結部４９及び鍵ガイド部５０の部分平面図、斜視図である。
【００７０】
図５（ａ）、（ｂ）に示すように、鍵ガイド部５０は、その水平断面形状が、前方に開口した凹部５０ａを有したコ字状に形成される。一方、鍵１０、２０は、それぞれ、下方に垂下形成された左右の側壁１３、１４、側壁２３、２４を有する（図５（ａ）参照）。
【００７１】
鍵１０、２０が上下に揺動する際には、鍵ガイド部５０の鍵並び方向に垂直な左右の外側面５０ｂ、５０ｃに対して、対応する鍵１０、２０の左右の側壁１３、１４の内側面１３ａ、１４ａ、側壁２３、２４の内側面２３ａ、２４ａがそれぞれ摺動する。それらによって、対応する鍵１０、２０の揺動動作がガイドされる。コ字状形状により、鍵ガイド部５０の剛性を確保しつつもその前後方向の肉厚の縮小化が可能となり、樹脂量が少なくて済む。なお、鍵ガイド部５０の凹部５０ａが開口する方向は、後方であってもよい。
【００７２】
図６（ａ）、（ｂ）、（ｃ）は、第３の実施の形態に係る第２例の鍵盤装置の鍵ガイド連結部４９及び鍵ガイド部５０の部分平面図、正面図、右側面図である。
【００７３】
図６（ａ）〜（ｃ）に示すように、鍵ガイド部５０は、白鍵１０用の鍵ガイド部５０Ｗと黒鍵２０用の鍵ガイド部５０Ｂとで形状が異なるが、基本的に同じ構成である。鍵ガイド部５０Ｗ、５０Ｂは、いずれも、鍵並び方向に垂直で前方に延設された一対のリブ６１を有して、その水平断面形状が、前方に開口したコ字状に形成される。鍵ガイド部５０Ｗ、５０Ｂを比較すると、リブ６１の基部は鍵ガイド部５０Ｗの方が前方にあり、リブ６１の長さは鍵ガイド部５０Ｗの方が長い。
【００７４】
一方、鍵１０、２０には、それぞれ、鍵並び方向の中央において下方に垂下した係合リブ１５、２５が突設形成されている（図６（ａ）参照）。係合リブ１５、２５は、強度保持のために、鍵並び方向に沿うリブと一体に形成され、全体としてＴ字状になっている。そして、鍵１０、２０の係合リブ１５、２５が、対応する鍵ガイド部５０Ｗ、５０Ｂの一対のリブ６１間に嵌合されている。
【００７５】
鍵１０、２０が上下に揺動する際には、鍵ガイド部５０Ｗ、５０Ｂの一対のリブ６１の相対向する内側面６１ａに対して、対応する鍵１０、２０の係合リブ１５、２５が摺動する。それによって、対応する鍵１０、２０の揺動動作がガイドされる。鍵ガイド部５０に対する摺動位置は、係合リブ１５の方が係合リブ２５よりも前方であるので、両者の位置が最適化され、特に白鍵１０の揺動動作ガイドの安定性を高めることができる。しかも、鍵ガイド部５０Ｗ、５０Ｂが、共通の鍵ガイド連結部４９に設けられているので、白鍵用と黒鍵用の各鍵ガイド部５０の配置効率を高めると共に、少ない樹脂で全鍵ガイド部５０同士の連結強度を確保することができる。
【００７６】
また、鍵１０、２０の側壁は、成形において倒れが生じやすく、精度を維持するのが容易でないが、係合リブ１５、２５は倒れが生じにくい。従って、第２例では、第１例に比し、鍵１０、２０の側壁の倒れ等の精度の影響を受けないので、鍵１０、２０の揺動動作ガイドが安定する。
【００７７】
なお、鍵１０、２０の係合リブ１５、２５と摺接係合するものであれば、鍵ガイド部５０Ｗ、５０Ｂの一対のリブ６１に代えて他の構成を採用してもよい。
【００７８】
本実施の形態（第１、第２例）によれば、第２の実施の形態と同様の効果を奏することができる。
【図面の簡単な説明】
【００７９】
【図１】本発明の第１の実施の形態に係る鍵盤装置の内部構成を示す側面図である。
【図２】フレームの平面図、正面図である。
【図３】図２（ａ）のＡ−Ａ線に沿う断面図である。
【図４】本発明の第２の実施の形態に係る第１例（図（ａ））、第２例（図（ｂ））の鍵盤装置の内部構成を示す側面図である。
【図５】第３の実施の形態に係る第１例の鍵盤装置の鍵ガイド連結部４９及び鍵ガイド部５０の部分平面図（図（ａ））、斜視図（図（ｂ））である。
【図６】第３の実施の形態に係る第２例の鍵盤装置の鍵ガイド連結部４９及び鍵ガイド部５０の部分平面図（図（ａ））、正面図（図（ｂ））、右側面図（図（ｃ））である。
【符号の説明】
【００８０】
１０  白鍵、  １９  棚板（楽器本体）、  ２０  黒鍵、  ３０  ハンマ体（回動部材）、  ３０ｆ  前方延設部、  ３０ｒ  後方延設部、  ４０  フレーム、  ４１  前側支持部（フレーム機能部、一体連続部、ハンマ軸配設部、本体当接部）、  ４３  ハンマ回動軸（フレーム機能部、ハンマ支持部）、  ４５  後側支持部（フレーム機能部、一体連続部）、  ４６  縦リブ（接続リブ）、  ４７  ストッパ取付部（一体連続部、初期ストッパ配設部、ハンマストッパ配設部）、  ４８  初期ストッパ（フレーム機能部、ハンマストッパ）、  ４９  鍵ガイド連結部（一体連続部、鍵ガイド配設部）、  ４９ａ  ストッパ取付部（一体連続部、初期ストッパ配設部）、  ５０  鍵ガイド部（フレーム機能部）、  ５１  鍵支持部連結部（一体連続部）、  ５３  鍵支持部（フレーム機能部）、  ５４  板状部（一体連続部）、  ５５  終了ストッパ（フレーム機能部）、  ５９  鍵スイッチ（フレーム機能部）、  ６２  ストッパ取付部（一体連続部）、  ６３  終了ストッパ（フレーム機能部）、  ６４  初期ストッパ（フレーム機能部）、  ６５  鍵ガイド連結部（一体連続部）
【図１】
2010078790.tif 000003
【図２】
2010078790.tif 000004
【図３】
2010078790.tif 000005
【図４】
2010078790.tif 000006
【図５】
2010078790.tif 000007
【図６】
2010078790.tif 000008